(57)【特許請求の範囲】
【請求項１】
入射される光束を折り曲げるプリズムが取り付けられ、前記プリズムによって折り曲げられた光束が入射する撮像レンズと、
撮像した画像を表示するモニタと、
映像信号の処理を実行する電気基板とを有する撮像装置であって、
前記プリズムに入射する光束の光軸方向における前記モニタの投影面内に、前記プリズムの入射面が位置するように、前記モニタと前記撮像レンズとを前記プリズムに入射する光束の光軸方向に重ねて配置し、
前記プリズムに入射する光束の光軸方向における前記モニタの投影面内に、前記電気基板が位置するように、前記モニタと前記電気基板とを前記プリズムに入射する光束の光軸方向に重ねて配置するとともに、
前記プリズムに入射する光束の光軸方向における前記モニタの投影面内で、前記撮像レンズと前記電気基板とが前記プリズムに入射する光束の光軸方向と直交する方向に並べて配置することを特徴とする撮像装置。
【請求項２】
記録媒体に対して映像信号を記録または読み出しを行う記録再生部を有し、前記記録再生部は前記モニタおよび前記プリズムのいずれに対しても、前記プリズムに入射する光束の光軸方向に重ならないように配置されることを特徴とする請求項１に記載の撮像装置。
【発明の詳細な説明】
【０００１】
【発明の属する技術分野】
本発明は、ビデオカメラあるいはデジタルカメラなどの撮像装置に関するものである。
【０００２】
【従来の技術】
図２６〜図２９は、従来の撮像措置の配置図である。これらの図において、５０００は撮像装置外装カバー、５００１は撮像レンズである。また、不図示ではあるが、撮像レンズ５００１を介して入射した光を電気的な信号に変換する撮像素子を備える。５０１１は、磁気テープなどの記録媒体５０５０に記録する記録部であり、５０１２は、撮像した信号の処理などを行う信号処理基板である。また、５０１３は、ビデオカメラ全体を駆動させるための電力を供給するバッテリーであり、５０１４は、ＬＣＤなどのモニタである。
【０００３】
これらの図に示すように、従来の撮像装置は、本体の寸法Ｄｊに対し、Ａｊ、Ｂｊ、Ｃｊ各寸法で各構成要素が突出してしまっている。このため、従来の撮像装置は凹凸のためにかばんに収める場合などの収納性は良いものではなかった。また、携帯時においても、凹凸があるために形態時の安定性に欠け、携帯性の悪いものであった。また、図２８（ｂ）は、カバー５０１１ａを開けて、記録媒体５０５０を取り出し／収納する様子を示しているが、従来は撮像装置の下方から取り出し／収納する必要があった。そのため、従来の撮像装置の底面部に三脚などを取り付けた場合、取り出し／収納することができなかった。
【０００４】
また、５００９は撮像レンズ光軸であり、５０１４ａはモニタ５０１４の表示画面である。また、５０１９は表示画面５０１４ａの中心線である。５０３０は、撮影者の手である。図に示すように、撮像装置の上面より見て、撮像レンズ光軸が、表示画面５０１４ａに対して寸法Ｐｊで示すように大きくずれている。そのため、撮影時のパラずれが大きいため特に近くの被写体を撮影する際には、撮影がしづらく、非常に操作性の悪いものとなっていた。
【０００５】
また、図２９に示すように、撮影者が従来の撮像装置を保持した際に、撮影者の右手親指部分が表示画面５０１４ａにかかってしまうため、表示画面５０１４ａが撮影者の右手親指により隠されて見づらかったり、表示画面が指紋などで汚されてしまい、操作性の悪いものとなっていた。また、撮影者の親指部分を、表示画面５０１４ａにかからないように保持することは、右手の保持が窮屈となり、撮像装置の保持に関して、非常に操作性の悪いものとなっていた。
【０００６】
【発明が解決しようとする課題】
本発明は、上述したことを鑑みて、撮像装置の操作性あるいは携帯性に優れた小型化された撮像装置を提供することを目的とする。
【０００７】
【課題を解決するための手段】
上述した目的を達成するために、本発明の撮像装置は、入射される光束を折り曲げるプリズムが取り付けられ、前記プリズムによって折り曲げられた光束が入射する撮像レンズと、撮像した画像を表示するモニタと、映像信号の処理を実行する電気基板とを有する撮像装置であって、前記プリズムに入射する光束の光軸方向における前記モニタの投影面内に、前記プリズムの入射面が位置するように、前記モニタと前記撮像レンズとを前記プリズムに入射する光束の光軸方向に重ねて配置し、前記プリズムに入射する光束の光軸方向における前記モニタの投影面内に、前記電気基板が位置するように、前記モニタと前記電気基板とを前記プリズムに入射する光束の光軸方向に重ねて配置するとともに、前記プリズムに入射する光束の光軸方向における前記モニタの投影面内で、前記撮像レンズと前記電気基板とが前記プリズムに入射する光束の光軸方向と直交する方向に並べて配置することを特徴とする。
【００１７】
【発明の実施の形態】
以下、添付の図面に沿って本発明の実施の形態を説明する。
【００１８】
（第１の実施の形態）
図１は、本実施の形態に用いられる撮像レンズの構成図である。１は、レンズ鏡筒、２は光軸を略９０゜ 折り曲げるためのプリズムであり、２ｂは入射面、２ａは入射光を反射するための反射面である。３はフォーカスモータ、４はズームモータ、５はＩＧメータである。
【００１９】
入射面２からプリズム２に入射した光学像は、反射面２ａによって略９０゜ に光軸を折り曲げられてレンズ鏡筒１に入射する。レンズ鏡筒１内では、不図示のフォーカスレンズによってフォーカスモータ３によって駆動され、被写体距離が調整される。露出の調整はレンズ鏡筒１内の不図示の絞りをＩＧメータ５を駆動することによって最適に調節される。
【００２０】
図２は、本実施の形態に用いられる撮像レンズの分解斜視図であり、（ａ）はプリズムを外した状態を示す図であり、（ｂ）は、プリズムを取り付けた状態を示す図である。
【００２１】
上述したような本実施の形態の撮像レンズにおいては、プリズムの投影寸法である、寸法Ｗ及び寸法Ｂから、フォーカスモータ３、ズームモータ４、ＩＧメータ５のアクチュエータなどのレンズユニットが収まるように、従来ではデッドスペースであった空間に配置されている。
【００２２】
図３は、本実施の形態の撮像装置の構成図である。１００は、外装カバー、１０１は、図１及び図２において説明した撮像レンズであり、１０２は撮像レンズのプリズムである。１１１は、記録再生部であり、磁気テープ、半導体などの固体メモリ、ハードディスク、光記録媒体などの記録媒体に映像信号を記録／読み出しを行う。１１２ａ、１１２ｂは、映像信号の処理などを実行する電気基板である。
【００２３】
１１４は、ＬＣＤなどのモニタであり、１１４ａはその表示画面である。１１９は表示画面１１４ａの中心線である。１５０は、磁気テープ、半導体などの固体メモリ、ハードディスク、光記録媒体などの着脱可能な記録媒体である。本実施の形態の撮像装置は、撮影方向に対して、表示部１１４と撮像レンズ１０１、記録再生部１１１と電気基板１１２のそれぞれを重ね合せて配置している。また、それらの組み合わせごとに並列に配置している。さらに、バッテリ１１３が撮像装置本体の側面に配置されている。
【００２４】
このように、本実施の形態の撮像装置においては、厚みがＤ１の寸法に撮像装置の各構成要素が収まり、凹凸のない形状となっている。従って、従来の撮像装置のように、凹凸があるためにかばんに収めるときなどの収納性が悪いといった欠点が解消され、また、携帯時の安定性が改善された。
【００２５】
また、記録媒体１５０は、撮像装置本体の側面のカバー１１１ａを開閉することによって着脱可能としている。そのため、三脚などの取り付け時においても記録媒体１５０の着脱が可能となった。
【００２６】
また、撮像レンズ光軸１０９が、表示画面１１４ａの画面横方向の寸法Ｘ１及び縦方向の寸法Ｙ１の範囲内、つまり撮像レンズの光軸が表示部の表示領域内にある。よって撮像レンズ光軸１０９と、表示画面１１４ａの中心線１１９のずれが最小限ですむため、特に近くの被写体を撮影する際において撮影がしやすく、非常に操作性の良いものとなった。
【００２７】
図４は本実施の形態の撮像装置を用いて撮影する場合の図を示している。図４に示すように、撮影者が撮像装置を保持した場合に、撮像装置側面から撮像装置の１側面までの距離Ｔ１が記録再生部１１１と同じ寸法で確保されている。
【００２８】
上述した構成によって、表示画面が撮影者の右手親指により隠されて見づらかったり、表示画面が指紋などで汚されてしまうという欠点が改善された。また、撮影者の親指部分を、表示画面５０１４ａにかからないように保持することがなくなり、右手の保持が窮屈となるという欠点が改善された。
【００２９】
また、指がプリズム１０２にかかってしまうことがなく、非常に操作性がよくなった。
【００３０】
（第２の実施の形態）
図５は、本実施の形態の撮像装置の構成図を示している。なお、図５において示した符号は第１の実施の形態と同一であるので、その説明は省略する。
【００３１】
本実施の形態においては、撮像装置本体の内部の撮影方向側に記録再生部が配置され、モニタ１１４側に電気基板１１２ａが配置されている。
【００３２】
このような図５の撮像装置の構成においても第１の実施の形態と同様な効果を上げることができる。
【００３３】
（第３の実施の形態）
図６は、本実施の形態の撮像装置の構成図を示している。なお、図６において示した符号は第１の実施の形態と同一であるので、その説明は省略する。
【００３４】
本実施の形態においては、第２の実施の形態の撮像装置の構成における配置を、撮像方向に対して、電気基板１１２ｂと撮像レンズ１０１を左右逆に配置したものである。本実施の形態の撮像装置の場合、撮像レンズ光軸１０９と表示画面１１４ａの中心線１１９との距離Ｐ３は、図３に示すように、わずかである。そのため、撮影がしやすいものとなる。
【００３５】
このような第３の実施の形態においても第１の実施の形態と同様な効果を上げることができる。
【００３６】
（第４の実施の形態）
図７は、本実施の形態の撮像装置の構成図を示している。なお、図７に示した符号は、バッテリ１１３ｂを除いて同一の構成を示しているので、その説明は省略する。なお、バッテリ１１３ｂは、図３のバッテリ１１３と比較して、Ｌ１方向の寸法は同一であるがＶ１方向の寸法が長く、電力量が大きいものとなっている。このような容量の大きいバッテリを接続しても携帯性及び収納性の損なうことがなく、第１の実施の形態と同様な効果を上げることができる。
【００３７】
（第５の実施の形態）
図８は、本実施の形態の撮像装置の構成図を示しており、また、図９は、本実施の形態の撮像装置を用いて撮影する場合の状態図を示している。なお、図８及び図９に示した符号は、図３と同一であるのでその符号を示す構成の説明は省略する。
【００３８】
本実施の形態は、モニタ１１４の下方にバッテリ１１３が配置されている。そのため、撮像装置の重心が下部に位置するために、第１の実施の形態の効果を損なうことなく、装置の小型化が達成され、安定した撮影を行うことができる。
【００３９】
（第６の実施の形態）
図１０は、本実施の形態の撮像装置の構成を示す図である。本実施の形態の撮像装置の構成は、記録再生部１１１の配置を撮影方向側とは反対側に配置させたものである。なお、図１０に示した符号と図３に示した符号と同一のものは、同一の構成を示しており、その説明は省略する。
【００４０】
このような構成においても第５の実施の形態と同様な効果を得ることができる。
【００４１】
（第７の実施の形態）
図１１は、本実施の形態の撮像装置の構成を示す図である。本実施の形態の撮像装置の構成は、図８の撮像装置の構成と、被写体側からみて撮像レンズ１０１と電気基板１１２ｂを左右逆に配置した構成となっている。なお、図１０に示した符号と図３に示した符号と同一のものは、同一の構成を示しており、その説明は省略する。
【００４２】
このような構成においても、第５の実施の形態と同様の効果を得ることができる。
【００４３】
（第８の実施の形態）
図１２は、本実施の形態の撮像装置の構成図であり、図１３は、本実施の形態の撮像装置を用いて撮影を行ったときの図である。なお、図１２及び図１３に示した符号と図３に示した符号と同一のものは、同一の構成を示しており、その説明は省略する。
【００４４】
図１２及び図１３に示すように、撮像装置本体の側面にモニタ１１４と並列してバッテリ１１３が配置されている。撮像装置の構成として、撮像レンズ１０１、記録再生部１１１、モニタ１１４、バッテリ１１３は撮像装置全体の重量の大半を占めている。従って、撮像装置本体の側面にモニタ１１４と並列してバッテリ１１３が配置され、さらに、撮像レンズ１０１と左右対称的に記録再生部１１１が配置されることによって撮像装置の重心が撮像装置の略中心に位置する。これより、重量バランスの良い撮像装置を提供することが可能となり、さらに、手ぶれが少なく保持しやすい、操作性の良好な撮像装置を提供することが可能となった。
【００４５】
（第９の実施の形態）
図１４は、本実施の形態の撮像装置の構成を示す図である。図１４に示すように、本実施の形態は、電気基板１１２ｂを記録再生装置１１１の下方に配置している。このような構成によっても第８の実施の形態と同様な効果を得ることができる。
【００４６】
なお、図１４において、図３に示す符号と同一のものは同一の構成を示し、それらの説明は省略する。
【００４７】
（第１０の実施の形態）
図１５は、本実施の形態の撮像装置の構成図である。第８の実施の形態においては、２箇所に配置されていた電気基板を、図１５に示すように、本実施の形態においては、電気基板１１２として撮影方向の背面に均一に配置している。このような構成によっても第８の実施の形態と同様な効果を得ることができる。
【００４８】
なお、図１５において、図３に示す符号と同一のものは同一の構成を示し、それらの説明は省略する。
【００４９】
（第１１の実施の形態）
図１６は、本実施の形態の撮像装置の構成図である。本実施の形態は、図１６に示すように、第８の実施の形態に対して、撮像レンズ１０１と電気基板１１２ｂとの配置を入れ替えたものである。このような構成によっても第８の実施の形態と同様な効果を得ることができる。
【００５０】
なお、図１６において、図３に示す符号と同一のものは同一の構成を示し、それらの説明は省略する。
【００５１】
（第１２の実施の形態）
図１７は、本実施の形態の撮像装置の構成図であり、図１８は、本実施の形態の撮像装置を用いて撮影を行ったときの図である。
【００５２】
本実施の形態は、図１７に示すように、記録再生部１１１の下方に配置される。また、電気基板１１２ａを１枚の基板によって構成されている。これによって基板を分割することによって生じるコネクタ及びワイヤーハーネス等が不要となり、さらに、ＩＣ等の電子部品を効率よく配置することができる。このような構成によっても第１の実施の形態と同様な効果をも達成することができる。
【００５３】
なお、図１７において、図３に示す符号と同一のものは同一の構成を示し、それらの説明は省略する。
【００５４】
（第１３の実施の形態）
図１９は、本実施の形態の撮像装置の構成図である。本実施の形態は、図１７に示した電気基板１１２ａ、１１２ｂを１枚の電気基板としている。このため、さらに電子部品の配置の効率化が達成される。また、第１の実施の形態と同様な効果をも達成することができる。
【００５５】
なお、図１９において、図３に示す符号と同一のものは同一の構成を示し、それらの説明は省略する。
【００５６】
（第１４の実施の形態）
図２０は、本実施の形態の撮像装置の構成図である。本実施の形態は、大型の容量のバッテリを記録再生部１１１の下部に配置した構成となっている。このような構成によっても第１２の実施の形態と同様な効果を得ることができる。
【００５７】
なお、図２０において、図３に示す符号と同一のものは同一の構成を示し、それらの説明は省略する。
【００５８】
（第１５の実施の形態）
図２１は、本実施の形態の撮像装置の構成図である。本実施の形態は、図１７に示した電気基板１１２ｂを撮像レンズ１０１に隣接して配置している。このような構成によっても第１２の実施の形態と同様な効果を達成することができる。
【００５９】
なお、図２１において、図３に示す符号と同一のものは同一の構成を示し、それらの説明は省略する。
【００６０】
（第１６の実施の形態）
図２２は、本実施の形態の撮像装置の構成図であり、図２３は、本実施の形態の撮像装置を使用した場合の状態図である。本実施の形態は電気基板１１２ａを一枚の基板とし、さらに、電気基板１１２ｂを撮像レンズ１０９の両側面に配置している。また、バッテリ１１３を撮像装置の側面に配置している。このような構成によっても第１２の実施の形態と同様な効果を得ることができる。
【００６１】
なお、図２２及び図２３において、図３に示す符号と同一のものは同一の構成を示し、それらの説明は省略する。
【００６２】
（第１７の実施の形態）
図２４は、本実施の形態の撮像装置の構成図である。本実施の形態において、記録再生部１１１の下方に電気基板１１２ｂが配置されている。また、バッテリ１１３を撮像装置の側面に配置している。このような構成においても第１２の実施の形態と同様な目的を達成することができる。
【００６３】
なお、図２４において、図３に示す符号と同一のものは同一の構成を示し、それらの説明は省略する。
【００６４】
（第１８の実施の形態）
図２５は、本実施の形態の撮像装置の構成図である。本実施の形態において、図２５に示すように、電気基板１１２として１枚にまとめてある。また、バッテリ１１３を撮像装置の側面に配置している。このような構成においても第１２の実施の形態と同様な目的を達成することができる。
【００６５】
なお、図２５において、図３に示す符号と同一のものは同一の構成を示し、それらの説明は省略する。
【００６６】
【発明の効果】
以上説明したように、本発明によれば、撮像装置の薄型化が達成される。
【図面の簡単な説明】
【図１】撮像レンズの構成図。
【図２】撮像レンズの分解斜視図。
【図３】撮像装置の構成図。
【図４】撮像装置の撮影状態を示す図。
【図５】撮像装置の構成図。
【図６】撮像装置の構成図。
【図７】撮像装置の構成図。
【図８】撮像装置の構成図。
【図９】撮像装置の撮影状態を示す図。
【図１０】撮像装置の構成図。
【図１１】撮像装置の構成図。
【図１２】撮像装置の構成図。
【図１３】撮像装置の撮影状態を示す図。
【図１４】撮像装置の構成図。
【図１５】撮像装置の構成図。
【図１６】撮像装置の構成図。
【図１７】撮像装置の構成図。
【図１８】撮像装置の撮影状態を示す図。
【図１９】撮像装置の構成図。
【図２０】撮像装置の構成図。
【図２１】撮像装置の構成図。
【図２２】撮像装置の構成図。
【図２３】撮像装置の撮影状態を示す図。
【図２４】撮像装置の構成図。
【図２５】撮像装置の構成図。
【図２６】従来の撮像装置の配置図。
【図２７】従来の撮像装置の配置図。
【図２８】従来の撮像装置の配置図。
【図２９】従来の撮像装置の撮影状態を示す図。
【符号の説明】
１００  撮像装置本体
１０１  撮像レンズ
１０２  プリズム
１１１  記録再生部
１１２  電気基板
１１２ａ  電気基板
１１２ｂ  電気基板
１１３  バッテリ
１１４  モニタ
１１４ａ  表示画面
【図１】
0004377971.tif 000002
【図２】
0004377971.tif 000003
【図３】
0004377971.tif 000004
【図４】
0004377971.tif 000005
【図５】
0004377971.tif 000006
【図６】
0004377971.tif 000007
【図７】
0004377971.tif 000008
【図８】
0004377971.tif 000009
【図９】
0004377971.tif 000010
【図１０】
0004377971.tif 000011
【図１１】
0004377971.tif 000012
【図１２】
0004377971.tif 000013
【図１３】
0004377971.tif 000014
【図１４】
0004377971.tif 000015
【図１５】
0004377971.tif 000016
【図１６】
0004377971.tif 000017
【図１７】
0004377971.tif 000018
【図１８】
0004377971.tif 000019
【図１９】
0004377971.tif 000020
【図２０】
0004377971.tif 000021
【図２１】
0004377971.tif 000022
【図２２】
0004377971.tif 000023
【図２３】
0004377971.tif 000024
【図２４】
0004377971.tif 000025
【図２５】
0004377971.tif 000026
【図２６】
0004377971.tif 000027
【図２７】
0004377971.tif 000028
【図２８】
0004377971.tif 000029
【図２９】
0004377971.tif 000030